(57)【要約】【課題】トリガが操作不能状態にロックされているか否かを目視によって容易に識別できるようにする。【解決手段】塗布ガン１０は、ホットメルト４５（塗布剤）を吐出するノズル１５が設けられたガン本体１１と、ガン本体１１に設けられ、手動の操作により待機位置からホットメルト４５を吐出させる吐出位置へ変位させることが可能なトリガ２５と、トリガ２５が待機位置にロックされているか否かをガン本体１１の外部において目視確認可能な識別手段３９とを備えている。ガン本体１１の外部から、識別手段３９を目視することにより、トリガ２５が待機位置にロックされているか否かを容易に確認できる。【選択図】図１
2020015024.tif 000002
【特許請求の範囲】
【請求項１】
塗布剤を吐出するノズルが設けられたガン本体と、
前記ガン本体に設けられ、手動の操作により待機位置から塗布剤を吐出させる吐出位置へ変位させることが可能なトリガと、
前記トリガが待機位置にロックされているか否かを前記ガン本体の外部において目視確認可能な識別手段とを備えていることを特徴とする塗布ガン。
【請求項２】
前記トリガに対し前記吐出位置側へ変位させる塗布操作を規制するロック形態と、前記トリガに対する塗布操作を許容するロック解除形態との間で変位可能なロック部材を備え、
前記ロック部材により前記識別手段が構成されていることを特徴とする請求項１記載の塗布ガン。
【請求項３】
前記ロック部材は、前記ロック形態では前記ガン本体と前記トリガとを連結し、前記ロック解除形態では前記ガン本体と前記トリガを連結状態から解放するようになっていることを特徴とする請求項２記載の塗布ガン。
【請求項４】
前記ガン本体内には、前記ガン本体内に収容した機器との間で通電を行うケーブルが収容され、
前記ロック部材の全体が前記ガン本体の外部に配されていることを特徴とする請求項２又は請求項３記載の塗布ガン。
【請求項５】
前記ロック部材が磁性材料からなり、
前記ガン本体には、磁力により前記ロック部材を前記ロック解除形態に保持する磁石が設けられていることを特徴とする請求項２ないし請求項４のいずれか１項に記載の塗布ガン。
【請求項６】
前記ロック解除形態では、前記ロック部材が前記ガン本体の外面に沿う形態で保持され、
前記ガン本体には、前記ロック部材を前記ロック形態側へ押すことを可能にする切欠部が形成されていることを特徴とする請求項２ないし請求項５のいずれか１項に記載の塗布ガン。
【請求項７】
前記トリガには、ロック形態の前記ロック部材を係止させる係止溝が形成され、
前記係止溝の入口には抜止め突起が形成され、
前記ロック部材は前記抜止め突起に当接することで前記係止溝からの離脱を規制されるようになっていることを特徴とする請求項２ないし請求項６のいずれか１項に記載の塗布ガン。
【請求項８】
前記ロック部材が磁性材料からなり、
前記ロック解除形態の前記ロック部材は、前記ガン本体の外面に沿うように配され、
前記ガン本体には、前記ロック部材が前記ロック解除形態であることを磁気により検知する検知部材が設けられていることを特徴とする請求項２ないし請求項７のいずれか１項に記載の塗布ガン。
【発明の詳細な説明】
【技術分野】
【０００１】
本発明は、塗布ガンに関するものである。
【背景技術】
【０００２】
特許文献１には、トリガの操作によってホットメルトをガン本体のノズルから吐出する手動式の塗布ガン（ホットメルトガン）が開示されている。この種の塗布ガンにおいては、塗布を行わない状態でトリガが不用意に移動するのを防止するために、ロック部材を設けることが好ましい。ロック部材の一例としては、ガン本体の内部でロック部材をトリガに当接させることで、トリガの移動を規制するものが考えられる。
【先行技術文献】
【特許文献】
【０００３】
【特許文献１】特開昭６１−３８６５６号公報
【発明の概要】
【発明が解決しようとする課題】
【０００４】
ロック部材をロック位置とロック解除位置へ変位させるためには、ロック部材の一部を操作部としてガン本体の外面に露出させ、操作部をガン本体の外面に沿ってスライドさせる構造が考えられる。しかし、操作部をスライドさせるものでは、操作部がロック位置とロック解除位置のいずれの位置にあるのかを目視で確認することは難しい。
【０００５】
また、ガン本体内には、ホットメルトの溶融状態を保持するため、又はホットメルトの粘度を調節するためのヒーターが設けられているとともに、ヒーターに給電するためのケーブルが配索される。そのため、ロック部材が、ロック位置とロック解除位置との間で変位するときに、ケーブルを擦って損傷させることも懸念される。
【０００６】
本発明は上記のような事情に基づいて完成されたものであって、トリガが操作不能状態にロックされているか否かを目視によって容易に識別できるようにすることを目的とする。
【課題を解決するための手段】
【０００７】
本発明の塗布ガンは、
塗布剤を吐出するノズルが設けられたガン本体と、
前記ガン本体に設けられ、手動の操作により待機位置から塗布剤を吐出させる吐出位置へ変位させることが可能なトリガと、
前記トリガが待機位置にロックされているか否かを前記ガン本体の外部において目視確認可能な識別手段とを備えていることを特徴とする。
【発明の効果】
【０００８】
ガン本体の外部から、識別手段を目視することにより、トリガが待機位置にロックされているか否かを容易に確認することができる。
【図面の簡単な説明】
【０００９】
【図１】実施例１の塗布ガンにおいて、ロック部材によりトリガを塗布操作不能にロックした状態をあらわす斜視図
【図２】ロック部材をロック解除形態へ変位させ、トリガに対する塗布操作が許容された状態をあらわす一部切欠側面図
【図３】ロック部材をロック解除形態へ変位させ、トリガに対する塗布操作が許容された状態をあらわす部分拡大斜視図
【図４】ロック部材がロック解除形態に保持されている状態をあらわす部分拡大側断面図
【図５】トリガを塗布操作して吐出位置へ変位させ、ノズルからホットメルトを吐出している状態をあらわす一部切欠側面図
【図６】ガン本体の内部構造をあらわす側断面図
【図７】ロック部材が係止溝に係止している状態をあらわす一部切欠部分拡大側面図
【図８】トリガの操作を開始してロック部材が係止溝から外れる状態をあらわす一部切欠部分拡大側面図
【発明を実施するための形態】
【００１０】
本発明は、前記トリガに対し前記吐出位置側へ変位させる塗布操作を規制するロック形態と、前記トリガに対する塗布操作を許容するロック解除形態との間で変位可能なロック部材を備え、前記ロック部材により前記識別手段が構成されていてもよい。この構成によれば、ロック部材が識別手段としての機能を兼ね備えているので、ロック部材とは別に専用の識別手段を設けずに済む。
【００１１】
本発明は、前記ロック部材は、前記ロック形態では前記ガン本体と前記トリガとを連結し、前記ロック解除形態では前記ガン本体と前記トリガを連結状態から解放するようになっていてもよい。この構成によれば、ロック部材の形状がシンプルなので、コスト低減を図ることができる。
【００１２】
本発明は、前記ガン本体内には、前記ガン本体内に収容した機器との間で通電を行うケーブルが収容され、前記ロック部材の全体が前記ガン本体の外部に配されていてもよい。この構成によれば、ロック部材がロック形態とロック解除形態との間で変位する際に、ガン本体内でロック部材とケーブルが接触する虞がない。
【００１３】
本発明は、前記ロック部材が磁性材料からなり、前記ガン本体には、磁力により前記ロック部材を前記ロック解除形態に保持する磁石が設けられていてもよい。この構成によれば、ロック部材の寸法公差が大きい場合や、樹脂材料からなるガン本体やトリガの摩耗が懸念される場合でも、ロック部材をロック解除形態に保持することができる。
【００１４】
本発明は、前記ロック解除形態では、前記ロック部材が前記ガン本体の外面に沿う形態で保持され、前記ガン本体には、前記ロック部材を前記ロック形態側へ押すことを可能にする切欠部が形成されていてもよい。この構成によれば、ロック部材をロック形態からロック解除形態へ変位させるためのロック解除の操作を行い易い。
【００１５】
本発明は、前記トリガには、ロック形態の前記ロック部材を係止させる係止溝が形成され、前記係止溝の入口には抜止め突起が形成され、前記ロック部材は前記抜止め突起に当接することで前記係止溝からの離脱を規制されるようになっていてもよい。この構成によれば、ロック部材を確実にロック形態に保持することができる。
【００１６】
本発明は、前記ロック部材が磁性材料からなり、前記ロック解除形態の前記ロック部材は、前記ガン本体の外面に沿うように配され、前記ガン本体には、前記ロック部材が前記ロック解除形態であることを磁気により検知する検知部材が設けられていてもよい。この構成によれば、ロック部材がロック解除形態であり、トリガを吐出位置側へ操作し得るロック解除状態であることを、検知することができる。
【００１７】
＜実施例１＞
以下、本発明を具体化した実施例１を図１〜図６を参照して説明する。本実施例１の塗布ガン１０は、ホットメルト４５（請求項に記載の塗布剤）を被塗物（図示省略）の表面に塗布するためのハンドガンである。塗布ガン１０は、ガン本体１１と、ホットメルト４５（図５を参照）を吐出するノズル１５と、トリガ２５と、ロック部材４０とを備えて構成されている。尚、以下の説明における前後及び上下の方向については、塗布ガン１０が、ホットメルト４５を水平に吐出する向きとなっている状態を基準とする。
【００１８】
図１，２，５に示すように、ガン本体１１は、前後方向のボディ１２と、ボディ１２の後端部から下方へ延出したグリップ１３と、ボディ１２の下面とグリップ１３の前面下端部とを繋ぐ略Ｌ字形のガード１４とを備えている。ボディ１２の前端面には、ホットメルト４５を前方へ吐出させるためのノズル１５が取り付けられている。
【００１９】
図６に示すように、ボディ１２内の前端部には、ホットメルト４５の流路１６がノズル１５と連通して形成されている。流路１６には、トリガ２５の手動操作によって開弁する常閉式のニードル弁１７が設けられている。ニードル弁１７は、前後方向に細長い弁体１８を有しており、常には、弁体１８に装着した閉弁バネ（図示省略）により弁体１８の前端部が弁座１９に当接する閉弁状態に保持されている。トリガ２５を塗布操作すると、弁体１８が後方へ変位することにより、ニードル弁１７が開弁し、流路１６内のホットメルト４５がノズル１５へ供給される。
【００２０】
図２，５，６に示すように、ボディ１２の前端部下面には、流路１６と連通した接続部２０が設けられている。接続部２０には、ホットメルト４５の材料をガン本体１１に供給するためのホース４６が、接続可能となっている。接続部２０に取り付けたホース４６は、ボディ１２の下面から斜め下方へ延出している。
【００２１】
図２，６に示すように、ボディ１２内のうちノズル１５に近い前端部には、ヒーター２１（請求項に記載の機器）が収容されている。ヒーター２１は、流路１６内に供給されたホットメルト４５の溶融状態を保つため、又はホットメルト４５の粘度を調整するための電気機器である。図２に示すように、ヒーター２１からは、ヒーター２１に給電するための給電回路を含む内部ケーブル２２（請求項に記載のケーブル）が導出され、内部ケーブル２２はボディ１２内とグリップ１３内に配索されている。内部ケーブル２２は、給電回路の他に、ホットメルト４５の温度を検出する温度センサ（図示省略）の検知信号伝達回路、アース回路、過熱時にヒーター２１への給電を遮断する遮断回路を含んでいる。
【００２２】
図２に示すように、内部ケーブル２２の導出端には、レセプタクル２３が取り付けられている。レセプタクル２３は、グリップ１３の下端面に開口するように取り付けられている。レセプタクル２３には、外部ケーブル４７が接続されるようになっている。外部ケーブル４７は、レセプタクル２３を介して内部ケーブル２２に接続されており、内部ケーブル２２と同様、ヒーター２１への給電回路、温度センサの検知信号伝達回路、アース回路、及び遮断回路を含んでいる。
【００２３】
図２，５に示すように、トリガ２５は、全体として上下方向に長い形状をなす。トリガ２５の上端側部分は、ボディ１２内における後端部領域に収容され、揺動軸２６を介してボディ１２に対し前後方向への揺動を可能に支持されている。トリガ２５は、左右方向の揺動軸２６を支点として待機位置（図１〜３を参照）と、待機位置より後方の吐出位置（図５を参照）との間で前後方向に揺動変位し得るようになっている。トリガ２５の後縁部には、ニードル弁１７の弁体１８の後端部１８Ｒが後方から係止している。
【００２４】
トリガ２５の後縁側部分は、グリップ１３内に収容されている。図２，５に示すように、トリガ２５の後縁部分における下端部には、後方へ突出した形態の当接部２７が形成されている。当接部２７は、グリップ１３内に設けたストッパ２８に対し前後方向に対向している。トリガ２５に外力が作用しない状態では、トリガ２５は閉弁バネにより待機位置（図２を参照）に保持されている。
【００２５】
図２，５に示すように、ボディ１２内の後端部においては、ニードル弁１７の弁体１８の後端部１８Ｒが、トリガ２５の上端部後面に対して後方から係止されている。トリガ２５が待機位置にある状態では、ニードル弁１７は閉弁状態に保持されている。待機位置に保持されているトリガ２５の前面に指（図示省略）を引っ掛けて、トリガ２５を後方へ引くと、トリガ２５を、閉弁バネの付勢に抗して後方の吐出位置へ変位させることができる。トリガ２５を引き操作すると、弁体１８が後方へ押し動かされるので、ニードル弁１７が開弁する。トリガ２５が吐出位置まで変位すると、当接部２７がストッパ２８に当接する。
【００２６】
図１〜３，５に示すように、トリガ２５の下端部には、後述するロック部材４０を係止させるための係止溝３０が形成されている。係止溝３０はトリガ２５の前面と左右両側面とに開口しており、側面視において、係止溝３０は、待機位置と吐出位置との間のトリガ２５の揺動方向（略前後方向）に対して傾斜している。詳細には、係止溝３０はトリガ２５の前面から斜め下後方へ延びた形態である。図７，８に示すように、係止溝３０の入口には、斜め下前方へ突出した形態の抜止め突起３１が形成されている。
【００２７】
図２，３，５に示すように、ガード１４の後面のうち係止溝３０より下方の位置には、軸線を左右方向（揺動軸２６と平行）に向けた軸受部３２が形成されている。図２，４，５に示すように、ガード１４のうち軸受部３２より上方の領域には、磁石３３が埋設されている。ガード１４のうち上下方向において軸受部３２と磁石３３との間の領域には、リードスイッチ３４（請求項に記載の検知部材）が埋設されている。
【００２８】
ロック部材４０は、磁性材料からなる線材を曲げ加工したものである。図３に示すように、ロック部材４０は、左右方向に細長い係止部４１と、係止部４１の左右両端から下方へ延出した左右一対の細長い脚部４２と、両脚部４２の下端から係止部４１と平行に内向に突出した一対の軸部４３とを有する単一部材である。ロック部材４０は、トリガ２５が、待機位置にロックされて吐出位置への揺動を規制されているか否かを、ガン本体１１の外部において目視確認可能な識別手段３９を構成する。
【００２９】
ロック部材４０は、一対の軸部４３を軸受部３２に嵌合することにより、軸部４３を支点としてロック形態（図１を参照）と、ロック形態よりも前方に位置するロック解除形態（図２〜５を参照）との間で略前後方向へ揺動し得るようになっている。ロック部材４０がロック形態とロック解除形態との間のいずれの位置にあっても、ロック部材４０の全体がガン本体１１の外部に露出した状態に維持される。
【００３０】
ロック部材４０がロック形態となっているときには、係止部４１が、軸部４３より後方に位置し、待機位置にあるトリガ２５の係止溝３０に係止し、ロック部材４０がガード１４とトリガ２５との間に橋渡された状態となる。これにより、トリガ２５は吐出位置側へ揺動することを規制される。換言すると、トリガ２５に対して塗布操作を行うことが規制され、トリガ２５は待機位置にロックされる。この状態では、ロック部材４０に他部材が干渉しても、ニードル弁１７が開弁する虞がなく、ノズル１５からホットメルト４５が不用意に吐出されることはない。
【００３１】
ロック部材４０がロック解除形態となっているときには、係止部４１が係止溝３０から外れ、ロック部材４０がガード１４の後面（ガン本体１１の外面）に沿うように配される。係止部４１が係止溝３０から外れることにより、待機位置のトリガ２５が吐出位置側へ移動可能な状態となる。つまり、トリガ２５はロックが解除され、トリガ２５に対する塗布操作が許容された状態となる。
【００３２】
ロック部材４０がロック解除形態へ変位すると、係止部４１は、磁石３３の後方近傍に位置することになり、磁石３３の磁気吸引力（磁力）によりガード１４の後面に当接した状態に保持される。つまり、ロック部材４０が磁力によりロック解除形態に保持される。また、脚部４２がリードスイッチ３４の後方近傍に位置するので、リードスイッチ３４は脚部４２の接近（つまり、ロック部材４０がロック解除形態にあること）を磁気的に検知し、検知信号を出力する。検知信号に基づいて警告表示等を行うことにより、トリガ２５のロックが解除されたことを視覚的に認識させることができる。
【００３３】
ガード１４の右側の側面部には、切欠部４４が形成されている。ロック部材４０がロック解除形態に保持されている状態では、右側の脚部４２が切欠部４４と対応するように位置する。これにより、グリップ１３を右手で把持したときに、右手の人差し指を右側の脚部４２に対し前方から引っ掛けることができる。人差し指を脚部４２に引っ掛けることにより、グリップ１３を把持している右手だけで、ロック解除形態のロック部材４０をロック形態側（後方）へ揺動させることができる。
【００３４】
また、図７に示すように、係止溝３０の入口には、斜め前方下向きに突出する抜止め突起３１が形成されているので、係止溝３０に係止している係止部４１を斜め上前方（ロック解除形態側）へ変位させようとしても、係止部４１が抜止め突起３１に引っ掛かる。これにより、係止部４１は係止溝３０に係止した状態に保持される。尚、係止部４１を係止溝３０から外す際には、図８に示すように、トリガ２５を塗布方向へ操作して係止溝３０を後方へ僅かに変位させると、抜止め突起３１が係止部４１の斜め上後方へ退避するので、係止部４１を、斜め上前方へ変位させながら係止溝３０から外すことができる。
【００３５】
本実施例の塗布ガン１０は、ホットメルト４５を吐出するノズル１５が設けられたガン本体１１と、トリガ２５と、識別手段３９とを備えている。トリガ２５は、ガン本体１１に設けられ、手動の操作により待機位置からホットメルト４５を吐出させる吐出位置へ変位させることが可能である。識別手段３９は、トリガ２５が待機位置にロックされているか否かをガン本体１１の外部において目視確認可能な手段である。この構成によれば、ガン本体１１の外部から、識別手段３９を目視することにより、トリガ２５が待機位置にロックされているか否かを容易に確認することができる。
【００３６】
また、識別手段３９はロック部材４０によって構成されている。ロック部材４０は、トリガ２５に対し吐出位置側へ変位させる塗布操作を規制するロック形態と、トリガ２５に対する塗布操作を許容するロック解除形態との間で変位可能である。トリガ２５を塗布操作不能にロックするためのロック部材４０が、識別手段３９としての機能を兼ね備えているので、ロック部材４０とは別に専用の識別手段３９を設けずに済む。
【００３７】
また、ロック部材４０は、ロック形態ではガン本体１１とトリガ２５とを連結し、ロック解除形態ではガン本体１１とトリガ２５を連結状態から解放するようになっている。ロック部材４０の形状はシンプルなので、コスト低減を図ることができる。
【００３８】
また、ガン本体１１内には、ガン本体１１内に収容したヒーター２１との間で通電を行う内部ケーブル２２が収容され、ロック部材４０の全体がガン本体１１の外部に配されている。この構成によれば、ロック部材４０がロック形態とロック解除形態との間で変位する際に、ガン本体１１内でロック部材４０と内部ケーブル２２が接触する虞がない。
【００３９】
また、ロック部材４０は磁性材料からなり、ガン本体１１には、磁力によりロック部材４０をロック解除形態に保持する磁石３３が設けられている。この構成によれば、ロック部材４０の寸法公差が大きい場合や、樹脂材料からなるガン本体１１やトリガ２５の摩耗が懸念される場合でも、ロック部材４０をロック解除形態に保持することができる。
【００４０】
また、ロック解除形態では、ロック部材４０がガン本体１１（ガード１４）の外面に沿う形態で保持されるようになっており、ガン本体１１には、ロック部材４０の脚部４２を指先でロック形態側へ押すことを可能にする切欠部４４が形成されている。この構成によれば、ロック部材４０をロック形態からロック解除形態へ変位させるためのロック解除の操作を行い易い。
【００４１】
また、トリガ２５には、ロック形態のロック部材４０を係止させる係止溝３０が形成され、係止溝３０の入口には抜止め突起３１が形成され、ロック部材４０は抜止め突起３１に当接することで係止溝３０からの離脱を規制されるようになっている。この構成によれば、ロック部材４０を確実にロック形態に保持することができる。
【００４２】
また、ロック部材４０が磁性材料からなり、ロック解除形態のロック部材４０は、ガン本体１１の外面に沿うように配され、ガン本体１１には、ロック部材４０がロック解除形態であることを磁気により検知するリードスイッチ３４が設けられている。この構成によれば、ロック部材４０がロック解除形態であり、トリガ２５を吐出位置側へ操作し得るロック解除状態であることを、検知することができる。
【００４３】
＜他の実施例＞
本発明は上記記述及び図面によって説明した実施例に限定されるものではなく、例えば次のような実施例も本発明の技術的範囲に含まれる。
（１）上記実施例では、ロック部材がガン本体に支持されているが、ロック部材はトリガに支持されていてもよい。
（２）上記実施例では、ロック部材の全体がガン本体の外部に配されているが、ロック部材の一部がガン本体の内部に収容されていてもよい。
（３）上記実施例では、ロック部材が常にガン本体に支持されているが、ロック部材は、トリガを待機位置にロックするときだけガン本体とトリガに取り付けるようにしてもよい。
（４）上記実施例では、ロック部材がロック解除形態であることを検知する検知部材を設けたが、このような検知部材を設けない形態としてもよい。
（５）上記実施例では、ロック部材が識別手段としての機能を兼ね備えているが、識別手段はロック部材とは別のもの（例えば、ＬＥＤ等の発光部材等）でもよい。この場合、ロック部材はガン本体の内部に収容されていてもよい。
（６）上記実施例では、ロック解除形態のロック部材をロック形態側へ揺動させる際の操作性の向上を図る手段として、ガードの右側の側縁部のみに切欠部を形成したが、切欠部は、ガードの左側の側縁部のみに形成してもよく、ガードの左右両側縁部に形成してもよい。
（７）上記実施例では、ホースと外部ケーブルがガン本体から下方へ導出される下出しタイプの塗布ガンについて説明したが、本発明は、ホースと外部ケーブルがガン本体から上方へ導出される上出しタイプの塗布ガンにも適用することができる。
（８）上記実施例では、塗布ガンがホットメルトを塗布するためのものであるが、本発明は、ホットメルト用の塗布ガンに限らず、塗料用の塗装ガン、シール材を吐出するシーラーにも適用できる。
【符号の説明】
【００４４】
１０…塗布ガン
１１…ガン本体
１５…ノズル
２１…ヒーター（機器）
２２…内部ケーブル（ケーブル）
２５…トリガ
３０…係止溝
３１…抜止め突起
３３…磁石
３４…リードスイッチ（検知部材）
３９…識別手段
４０…ロック部材
４４…切欠部
４５…ホットメルト（塗布剤）
【図１】
2020015024.tif 000003
【図２】
2020015024.tif 000004
【図３】
2020015024.tif 000005
【図４】
2020015024.tif 000006
【図５】
2020015024.tif 000007
【図６】
2020015024.tif 000008
【図７】
2020015024.tif 000009
【図８】
2020015024.tif 000010